(57)【特許請求の範囲】
【請求項１】
エンジン、モータ等の駆動源と、この駆動源の出力軸に連結される駆動装置と、この駆動装置により回転せしめるカッタブレードと、このカッタブレードを覆う安全カバーを備えたハンドカッタにおいて、
前記カッタブレード(5) の軸芯と駆動源(1)の出力軸(1a)とを結ぶ線より下方位置に吸塵口(6e)を設けた安全カバー(6,6c)と、
前記安全カバー(6,6c)に、カッタブレード(5)の回転中心またはその近傍を回転支点にして回転自在に取着されるとともに、収納可能に取着され、前記安全カバー(6,6c)への収納方向の反対方向に付勢されるフロントガイド(6n)と、
前記フロントガイド(6n)の先端部近傍に回転自在に取着されるとともに下方向に付勢され、前記安全カバー(6,6c)の底部に沿って直線的に移動可能なガイドローラ(6d)が回転自在に取着されたスライドガイド(6a)と、
前記スライドガイド(6a)およびフロントガイド(6n)の下方先端部に配設されるガイドローラ(6b)と
を備えたことを特徴とするハンドカッタ。
【請求項２】
安全カバー(6,6c)に設けた吸塵口(6e)と、カッタブレード(5) の切断位置近傍の安全カバー(6,6c)先端部とは直線で結んで構成した
ことを特徴とする請求項１に記載のハンドカッタ。
【請求項３】
カッタブレード(5) 回転中心と、吸塵口(6e)とを結ぶ線上に粉塵の飛散を防止するダストストッパ(6f)を設けた
ことを特徴とする請求項１または請求項２に記載のハンドカッタ。
【発明の詳細な説明】
【０００１】
【発明の属する技術分野】
本発明は、コンクリート２次製品等の切断に用いるハンドカッタに係り、特に、作業中の粉塵を周囲に飛散させないようにした集塵装置を備えたハンドカッタに関する。
【０００２】
【従来の技術】
ハンドカッタは、道路の側溝に埋設するＵ字溝、下水道管として用いられるヒューム管、道路の縁石等のコンクリート２次製品、煉瓦、アスフアルト舗装道路、上水道の鋳鉄管、および鋼材等を切断するために幅広く用いられている。
このハンドカッタによるコンクリート２次製品、煉瓦、およびアスフアルト舗装道路の切断作業中に粉塵を周囲に飛散させるので、作業者の健康面で問題であり、特に市街地では粉塵による苦情が多いと言う問題がある。
このような問題を解決するために、最近は集塵装置付きハンドカッタが開発されている。
ハンドカッタの先行技術の１例として、実用新案登録第２５３０５０３号について、図１７により説明する。カッタ刃５１を包む安全カバー５２には、開口孔５４が設けられている。この開口孔５４をパイプ５５で吸塵装置５６の吸込口５７に連通させている。吸塵装置５６の排塵口５８に排気管５９は集塵袋に連通させている。エンジン６０の出力軸により小プーリー６１を回転させている。この小プーリー６１の回転をベルトを介して伝達して大プーリを回転させてフアン６９を回転させている。この大プーリの回転をベルトを介して伝達させて小プーリーを回転させてカッタ刃５１を回転するようにしている。
【０００３】
ハンドカッタの先行技術の２例として、特公平７−１４５７０号について、図１８乃至図２０により説明する。
エンジン１１０の出力回転数を減速させるために、エンジン出力軸の小プーリ９７と刃物７８側の軸のプーリー９８を大２枚小１枚の複合プーリー９９を介して、複合プーリー９９の大プーリーに掛けるベルト１００を強制排塵フアン８９の駆動軸９５に設置する小プーリー９６に掛けるようになっている。
刃物７８を覆う安全カバー本体７１の上方には排塵装置８０が設けられている。この安全カバー本体７１の側壁に穴を穿設して、排塵装置８０の排塵入口７９としてある。安全カバー本体７１の内部には、刃物７８の回転を阻害しないスリットを有する隔壁８２を排塵入口７９を取り巻いて刃物７８の中心付近まで排塵用通路８１の壁面として延出させている。
この排塵装置８０に連結される排塵用パイプ９０は、安全カバー本体７１の上方から後方に張出して配設されている。
【０００４】
【発明が解決しようとする課題】
しかしながら、前記実用新案登録第２５３０５０３号のハンドカッタは、図１７に示すように、下記の問題点がある。
（１）安全カバーの上部の開口孔５４と吸塵装置５６とをパイプ５５で連通させているので、外観上もコンパクトにまとめることができず、作業中にパイプ５５が作業者に接触する等して邪魔になり作業性が悪く、またパイプ５５が作業中、何かに引っ掛かって破損する可能性があり安全上も問題がある。
（２）ハンドカッタの全幅が大きくなり、コンバクトではなく偏心重量も大きいので作業時の取扱いも良くない。
（３）安全カバーはカッタブレード回転中心を回転支点として全体が回動する構成となっているので、作業姿勢の変化による安全カバーの追従性が悪く吸塵性能の低下をきたすとともに、作業性が悪い。
【０００５】
前記特公平７−１４５７０号のハンドカッタは、図１８乃至図２０に示すように、下記の問題点がある。
（１）安全カバー本体７１の上方に排塵装置８０が設けられており、刃物７８で切断時の粉塵は安全カバー本体７１の排塵用通路８１を通って排塵装置８０から排出される粉塵は排塵用パイプ９０を介して図示しない集塵袋に収納されるので、刃物７８の切断位置から排塵装置８０までの距離が遠く、周囲に飛散する粉塵も多く必ずしも全ての粉塵を吸塵することはできないので吸塵性能が悪い。
このため、作業者の健康面での問題や市街地での粉塵による苦情がある。
（２）排塵用パイプ９０の取り回しが悪く作業者側に張り出す構造となっているので、作業者の身体に接触する等により邪魔になり作業性が悪い。
（３）安全カバー７１側に排塵装置８０、複合プーリ９９等の多くの部品が集約されているので、ハンドカッタの先端側重量が重く、重量バランスが悪いので、作業者にとって扱いづらい構造となっている。
（４）安全カバー本体７１の横から粉塵を吸込むため吸塵効率が悪い。
（５）ハンドカッタの左手ハンドルの近くに排塵装置８０が配置されているので、ハンドル周りのクリアランスを確保するためには、ハンドルが大きくなり、また全長が長くなりコンパクト化できない。
【０００６】
本発明は上記従来の問題点に着目し、吸塵性能を向上させ、ハンドカッタの幅を小さくしてコンパクト化し、重量バランスを良くするとともに、ダストパイプの取り回しを改良した操作性の良い集塵装置付きハンドカッタを提供することを目的とする。
【０００７】
【課題を解決するための手段および作用効果】
上記目的を達成するため、本発明に係るハンドカッタの第１発明は、エンジン、モータ等の駆動源と、この駆動源の出力軸に連結される駆動装置と、この駆動装置により回転せしめるカッタブレードと、このカッタブレードを覆う安全カバーを備えたハンドカッタにおいて、
前記カッタブレード５の軸芯と駆動源１の出力軸１ａとを結ぶ線より下方位置に吸塵口６ｅを設けた安全カバー６，６ｃを備えた構成としたものである。
上記構成によれば、本発明のハンドカッタは、カッタブレードの軸芯と駆動源の出力軸とを結ぶ線より下方位置に吸塵口を設けた安全カバーを備えたので、安全カバーの下方位置に設けた吸塵口から直接粉塵を吸い込むことができるので吸塵性能が向上する。
また、安全カバーの下方位置に吸塵口を設けたので、この吸塵口から直接に吸塵フアンからなる吸塵装置へ粉塵を吸い込むようにしたので、従来のように安全カバーの上部に設けた吸塵口からダストパイプを介して、粉塵を吸塵フアンからなる吸塵装置に吸い込ませることはないので、構造がシンプルでコンパクトなハンドカッタとすることがてきる。
さらに、粉塵を小型の吸塵フアンでも粉塵を効率良く吸引するようにして周囲に飛散させないようにすることができる。
さらにまた、カッタブレードの軸芯と駆動源の出力軸とを結ぶ線より下方位置に吸塵口を設けたことにより、この吸塵口の近傍に吸塵フアンからなる吸塵装置を配置して、従来のようにパワーユニットや安全カバー上方にダストパイプが突出して作業の邪魔になる等の問題はなくなり、ハンドカッタの下方位置に設けた吸塵装置からダストパイプを介してダストバックに粉塵を吸い込み、ダストパイプの取り回しが改良され、安全カバーやパワーユニットの周囲にダストパイプが突出することがないので、コンパクトで扱い易く、しかも外観がスマートなハンドカッタとすることができる。
また、安全カバーの下方位置に吸塵口を設けたので、カッタブレードの異なる仕様（例えば、１２インチ、又は１４インチ）でも安全カバーを交換せずにカッタブレードの交換が可能である。
そして、安全カバーの下方位置に吸塵口を設けたので、吸塵装置もカッタブレードの軸芯と駆動源の出力軸とを結ぶ線より下方位置に配置することができるので、前述の如く、吸塵装置やダストパイプが視界を遮ってカッタブレードの刃先の視界性が悪いという問題は解消される。
【０００８】
また、第１発明の構成において、前記安全カバー６，６ｃに回転自在に取着されたフロントガイド６ｎと、フロントガイド６ｎに回転自在に取着されたスライドガイド６ａとを備えた構成としたものである。
上記構成によれば、ハンドカッタの作業姿勢に応じて、フロントガイドとスライドガイドを回動させることにより、簡単にカッタブレードの切断角度、あるいは切断位置を変更することができるので作業性が良い。
【０００９】
また、前記フロントガイド６ｎは、カッタブレード５の回転中心、あるいはその近傍を回転支点にするとともに、前記スライドガイド６ａは、フロントガイド(6n)の先端部近傍を回転支点とする構成としたものである。
上記構成によれば、ハンドカッタの機種によって、フロントガイド、およびスライドガイドの形状、大きさを適宜設定しても、フロントガイドを、カッタブレードの回転中心、あるいはその近傍を回転支点にする。また、スライドガイドを、フロントガイドの先端部近傍を回転支点とすることにより、安全カバーに収納可能とすることができる。したがって、切断時の粉塵を、安全カバーに収納されるフロントガイドおよびスライドガイドを通って、フロントガイドが安全カバーに完全に収納された場合でも安全カバーの下部に設けた吸塵口に導くことが可能となり吸塵性能が向上する。
【００１０】
第２発明は、第１発明に記載の構成において、安全カバー６，６ｃに設けた吸塵口６ｅと、カッタブレード５の切断位置近傍の安全カバー６，６ｃ先端部とは直線で結んで構成したものである。
上記構成によれば、切断時の粉塵を、安全カバーに設けた吸塵口に容易に導くことができる。これにより、前述の如く、図２０に示す従来のハンドカッタでは吸塵口が安全カバーの上方に配置していたものに対して、本発明によれば粉塵を小型の吸塵フアンでも効率良くダイレクトに吸引することができ、吸塵性能が向上する。
【００１１】
第３発明は、第１発明または第２発明に記載の構成において、カッタブレード５の回転中心と、吸塵口６ｅとを結ぶ線上に粉塵の飛散を防止するダストストッパ６ｆを設けた構成としたものである。
上記構成によれば、切断時の粉塵を、安全カバーの所定位置に設けたダストストッパは、安全カバーの内面から上方へ飛散することを防止することができる。これにより、切断時の粉塵はダストストッパに当たると下方に落下して吸塵口に効率良く吸引されるので、周囲に飛散することは防止される。
【００１３】
【発明の実施の形態】
以下に、本発明に係るハンドカッタの実施例を図１乃至図１６により説明する。本発明のハンドカッタ３０は、エンジン、モータ等の駆動源１を収納するパワーユニットと、この駆動源１の出力軸１ａに連結されて駆動される吸塵フアン４ｂを有する吸塵ユニット３と、駆動源１の出力軸１ａに連結され、回転駆動されるカッタブレード５、カッタブレード５を回転支持するカッタヘッド２５、およびカッタブレード５を覆う安全カバー６，６ｃからなるカッテイングヘッドユニットと、からなる３つのユニット構成にしてある。
吸塵装置４は、吸塵フアン４ｂと、吸塵フアン４ｂを駆動する駆動装置２とからなり、この吸塵装置４をケース１０に収納したものを吸塵ユニット３と言う。先ず、図１はハンドカッタ３０の側面図を示しており、エンジンや電動モータ等の駆動源１（以下、駆動源１と言う。）の図示しない出力軸は、詳しくは後述する粉塵を吸引する吸塵フアンからなる吸塵装置４を駆動するプーリ、ベルトからなる駆動装置２と連結している。また、駆動源１の図示しない出力軸は、詳しくは後述するプーリ、ベルト、およびギヤからなり、カッタブレード５を駆動する駆動装置４０と連結している。安全カバー６は、カッタブレード５を覆うようにして配設されている。また、安全カバー６内には、フロントガイド６ｎ、およびスライドガイド６ａが収納可能に配設されている。
詳しくは後述する吸塵フアンからなる吸塵装置４は、ダストパイプ３５Ａを介して粉塵を収納するダストバック３５と接続している。１Ａ，２０はハンドルであり、作業者は右手でハンドル１Ａを握り、左手でハンドル２０を握ってハンドカッタのハンドリングが容易に行えるようにしてある。
【００１４】
図２に示す、駆動源１の下方側面にはケース１０が着脱自在に取着されている。このケース１０に設けられる挿入孔に駆動源１の出力軸１ａが挿入して、同軸１ａはケース１０の側面に突出している。
この出力軸１ａは、図１３に示すように吸塵フアン４ｂからなる吸塵装置駆動用プーリ７ｂ、およびカッタブレード駆動用のプーリ７ａと連結している。
ケース１０には、吸塵装置駆動用プーリ７ｂの径より小径の駆動プーリ２が軸２ａにより回転自在に取着されている。この駆動プーリ７ｂと、駆動装置２とはベルト９により巻装してある。８はベルトの張り調整用のアイドラプーリである。駆動装置２は、吸塵フアン４ｂと軸２ａにより回転自在に取着されている。
吸塵装置４は、吸塵フアン４ｂ、図８に示す吸塵ケース４ｆ、吸塵口４ｇ、および図２に示す排塵口４ａからなっている。
【００１５】
カッタブレード５は、カッタヘッド２５に取着する軸５ａにより回転自在に取着されている。被駆動用プーリ１１は、カッタヘッド２５に取着する軸１１ａにより回転自在に取着されている。前記出力軸１ａに連結するカッタブレード駆動用プーリ７ａと、被駆動用プーリ１１とはベルト１２により巻装してある。
この被駆動用プーリ１１は、詳しくは後述するカッタブレード５の駆動装置４０のギヤを駆動するようになっている。
安全カバー６は、図１０に示すカッタブレード５を回転支持するカッタヘッド２５に着脱自在、又は一体的に形成されている。このカッタヘッド２５と、前記ケース１０とは図２に示すスタッドボルト１５，１６により取着している。
【００１６】
図３，図４に示す安全カバー６の下方に一体的に形成される下部安全カバー６ｃには、フロントガイド６ｎ、およびスライドガイド６ａが収納可能に配設されている。６ｂはガイドローラである。
図３に示すスライドガイド６ａは、常時ばね６ｓにより図に示す右下方向に付勢されているとともに、フロントガイド６ｎの先端部のピン６ｔを回転支点としている。
このため、図２に示すハンドル２０を手で持って作業する時に、ハンドカッタ３０をガイドローラ６ｂの方向へ押し加えることにより、スライドガイド６ａが、ばね６ｓに抗して安全カバー６に固着する下部安全カバー６ｃの底部に沿って収納することができるようになっている。
ハンドカッタ３０の作業姿勢を変更することにより、ガイドローラ６ｂの方向に力が加わらないときは、図３に示すようにスライドガイド６ａが、ばね６ｓにより下部安全カバー６ｃから右下方向に突き出すようになっている。
フロントガイド６ｎには、回動可能とするための長孔６ｈが設けてある。また、下部安全カバー６ｃにはガイドピン６m が固着されている。フロントガイド６ｎは、長孔６ｈにガイドピン６m が挿入されて、常時ばね６ｇにより右下方向に付勢されているとともに、ピン６ｑを回転支点としている。
これにより、図２に示すハンドル２０を手で持って作業する時に、ハンドカッタ３０をガイドローラ６ｂの方向へ加えることにより、フロントガイド６ｎが、ばね６ｇに抗して安全カバー６に固着する下部安全カバー６ｃに収納することができるようになっている。
ハンドカッタ３０の作業姿勢を変更することにより、ガイドローラ６ｂの方向に力が加わらないときは、図３に示すようにフロントガイド６ｎが、ばね６ｇにより下部安全カバー６ｃから右下方向に突き出すようになっている。
図３に示すフロントガイド６ｎ、およびスライドガイド６ａの回転支点となるピン６ｐ，６ｑは、安全カバーの側面で、カッタブレード５の軸５ａの近傍としてあるが、これ以外にフロントガイド６ｎ、およびスライドガイド６ａの回転支点を、カッタブレード５の軸５ａとするようにしても良い。
【００１７】
前記フロントガイド６ｎ、およびスライドガイド６ａの作用により、ハンドカッタ３０の作業姿勢に応じて、カッタブレード５の切断角度、あるいは切断位置を変更することができるので作業性が良い。
このスライドガイド６ａには、ガイドローラ６ｄが回転自在に取着されており、同カバー６ａのガイドローラ６ｄは、下部安全カバー６ｃの底部に沿って直線的に移動可能となっており、スライドガイド６ａが、ばね６ｇに抗して長孔６ｈの範囲内でスライドして下部カバー６ｃ内に収納するようになっている。
安全カバー６には、ダストストッパ６ｆが取着されている。
このダストストッパ６ｆにはカッタブレードの回転を阻害しないスリットが設けてあり、このスリットの中を前記カッタブレード５は回転自在となっている。また、このダストストッパ６ｆは、粉塵を安全カバー６の上方には飛散させない役目を果しているとともに、粉塵を安全カバー６に設けた吸塵口６ｅに導く様になっている。
このダストストッパ６ｆは、例えばゴム等の弾性状の材質で直線状に形成されており、安全カバーに対して着脱自在に設けられている。
ダストストッパ６ｆのスリットにカッタブレードを挿入することは容易であり組立性が良い。
【００１８】
図３に示すように、詳しくは後述するカッタブレード５により、コンクリート２次製品等の切断時に飛散する粉塵は、吸塵フアン４ｂの回転駆動により吸塵ケース４ｆの吸塵口４ｇから吸引され、図１、図２に示す排塵口４ａからダストパイプ３５Ａを通ってダストバック３５に収納される。
このように、ダストパイプ３５Ａは、駆動源１の下方に配置されているので、吸塵フアン４ｂからのダストパイプ３５Ａの取り回しが従来に比べて著しく改良されており、切断作業時に作業者の身体に接近して邪魔になる、あるいは、カッタブレードの刃先の視界性を妨げることがないようにしてある。
【００１９】
次に、フロントガイド６ｎ、スライドガイド６ａ、吸塵口６ｅ、および吸塵装置４について図４乃至図６により説明する。
図４は、ハンドカッタの左側面図を示している。吸塵装置４は、駆動源１の出力軸１ａと、カッタブレード５の軸５ａの軸芯とを結ぶ線Ａより下方位置に配設されている。前述の如く、ハンドカッタ３０をガイドローラ６ｂの方向へ押し加えることにより、フロントガイド６ｎ、およびスライドガイド６ａは、下部安全カバー６ｃの中にそれぞれ点線で示す位置に収納される。
図５は、フロントガイド６ｎ、およびスライドガイド６ａが下部安全カバー６ｃから突き出した状態を示しており、図６は、フロントガイド６ｎが矢印のＸ方向に、およびスライドガイド６ａが矢印のＹ方向にそれぞれ分かれて下部安全カバー６ｃに収納された状態を示している。
これにより、切断作業中の粉塵はフロントガイド６ｎ、およびスライドガイド６ａから吸塵口６ｅに導かれる。この吸塵口６ｅの近傍に吸塵フアンからなる吸塵装置４が配設されている。
このように構成したので、前述の如く従来のように吸塵口と吸塵装置とをパイプで接続する必要がなく、吸塵装置は、安全カバーの粉塵を吸う吸塵口とダイレクトに連通させることができるので、構造がシンプルでコンパクトなハンドカッタとすることができる。
【００２０】
図７は、ハンドカッタの他の実施例である。図１乃至図６と同一符号を付した部品は同一機能を有するので、ここでは説明を省略する。
図７によれば、吸塵装置を作業現場の所定の場所に設置しておき、ハンドカッタには、フロントガイド６ｎ、およびスライドガイド６ａから導かれる粉塵を吸引する粉塵口３５Ｂを下部安全カバー６ｃに設ける。この粉塵口３５Ｂから吸引される粉塵をダストパイプ３５ｃを介して図示しない吸塵装置に送るようにしたものである。これにより、ハンドカッタの重量を軽くすることができるので、切断作業時に扱い易くなる。この場合も前述と同様にダストパイプ３５ｃが駆動源１の下方位置にあり、重量バランスが良くコンパクトで扱い易いハンドカッタとなる。
【００２１】
図２のＺ視の図８を図１，図２，図１３を参照して説明する。
駆動源１の出力軸１ａにスプライン１ｃ結合されるカップリング、軸受からなる継手部材１５、および継手部材１５に連結される軸１ｂに回転自在に駆動プーリ７ａ，７ｂが取着されている。
この駆動プーリ７ａ，７ｂの下方に配設される吸塵フアン４ｂと、駆動装置２とは軸２ａにより、回転自在に取着されている。４ｄは軸２ａを支持する軸受である。吸塵装置４は、吸塵フアン４ｂ、吸塵ケース４ｆ、吸塵口４ｇ、および図２に示す排塵口４ａからなっている。図９に示す駆動プーリ７ｂと、駆動装置２とはベルト９により巻装されている。
これにより、駆動源１の出力軸１ａの回転出力を駆動プーリ７ｂ、ベルト９を介して駆動装置２に伝達せしめることにより、吸塵フアン４ｂを回転駆動するようになっている。
【００２２】
次に、図９は、駆動源１、駆動装置２、および吸塵装置４を一体に組立てられた状態を示している。尚、図１乃至図３と同一符号を付したものは同一機能を有するので、ここでは説明を省略する。
駆動源１を収納するパワーユニットには、ハンドル２０が取着されている。
パワーユニットとケース１０の下部には、脚部２２が固着してある。
ケース１０には、ベルト１２をガイドするガイド溝１０ｃが形成されている。また、ケース１０には、ベルト９の張りを調整するための調整プレート１０ａが取着されており、同プレート１０ａにはベルト調整用プーリ８の移動可能とする長孔１０ｂが設けられている。
図９に示すように、作業者はハンドル２０を持って作業を行い、また作業をしない場合には脚部２２にハンドカッタの重量を支えるように地面又は床上に置く様になっている。
【００２３】
図１０は、カッタブレード５、安全カバー６、スライドガイド６ａ及びカッタヘッド２５を一体に組立てられた状態を示している。尚、図１乃至図３と同一符号を付したものは同一機能を有するので、ここでは説明を省略する。
安全カバー６と、カッタヘッド２５とは着脱自在、または一体的に形成されている。
このカッタヘッド２５には、図２に示すケース１０を取着するためのスタッドボルト１５，１６が取付けてある。
図１１に示すスライドガイド６ａは、コ字状に形成されている。前記カッタブレード５により切断時の粉塵は、スライドガイド６ａから下部安全カバー６ｃを通って吸塵口６ｅを介して図８に示す吸塵口４ｇに導かれるようになっている。図１１は、スライドガイド６ａが下部安全カバー６ｃに収納されている状態を示し、図１２は、図３に示すスライドガイド６ａが、ばね６ｇに付勢されて下部カバー６ｃから外方へ突き出した状態を示す。
【００２４】
次に、本発明に係るハンドカッタの駆動装置について図１３乃至図１６により説明する。図１３，図１４は全体のハンドカッタの動力伝達系列をシンボル記号で表したものである。
図１３に示す、駆動源１の出力軸１ａは、駆動用プーリ７ａ，７ｂと連結している。駆動用プーリ７ａは、被駆動用プーリ１１とベルト１２により巻装している。出力軸１ａから出力される動力は、駆動用プーリ７ａからベルト１２を介して被駆動用プーリ１１に伝達される。
この被駆動用プーリ１１は、図１３のＰ部詳細図の図１４に示す、第１ギヤ１１ｂを駆動する。この第１ギヤ１１は第２ギヤ１１ｃと噛合して、同ギヤ１１ｃを駆動せしめる。この第２ギヤ１１ｃは第３ギヤ１１ｄと噛合して、同ギヤ１１ｄを駆動せしめる。この第３ギヤ１１ｄは第４ギヤ１１ｅと噛合して、同ギヤ１１ｅを駆動せしめる。
この第４ギヤ１１ｅの駆動により軸５ａを回転支点としてカッタブレード５を回転駆動することができる。
【００２５】
図１５は、駆動用プーリと被駆動プーリの配置を示すものである。
出力軸１ａの中心と被駆動用プーリ１１の軸１１ａの中心とを結ぶ軸線Ａと、出力軸１ａの中心と駆動装置２の軸２ａの中心とを結ぶ軸線Ｂとのなす角は所定の角度α1 に設定されている。
また、出力軸１ａの中心と駆動装置２の軸２ａの中心とは所定の距離Ｌ1 に離間するように設定されている。
これにより、駆動装置２は適切な位置に配設され、ハンドカッタの重量バランスが良く、しかも構造が簡素化されてハンドカッタ全体がコンパクトになる。
【００２６】
図１６は、図１３，図１４で説明したカッタブレードの動力伝達系列を示すものである。
カッタブレード５の駆動装置４０は、駆動源１の出力軸１ａは駆動用プーリ７ａと連結している。被駆動用プーリ１１はベルト１２により巻装されている。
これにより、出力軸１ａから出力される動力は、駆動用プーリ７ａからベルト１２を介して被駆動用プーリ１１に伝達される。
この被駆動用プーリ１１は、小径の第１ギヤ１１ｂを駆動する。この小径の第１ギヤ１１は大径の第２ギヤ１１ｃと噛合して、同ギヤ１１ｃを駆動せしめる。この大径の第２ギヤ１１ｃは小径の第３ギヤ１１ｄと噛合して、同ギヤ１１ｄを駆動せしめる。この小径の第３ギヤ１１ｄは大径の第４ギヤ１１ｅと噛合して、同ギヤ１１ｅを駆動せしめる。
この大径の第４ギヤ１１ｅの駆動により軸５ａを介してカッタブレード５を回転駆動するようになっている。このように、出力軸１ａの回転数は駆動装置４０の各ギヤ１１ｂ，１１ｃ，１１ｄ，１１ｅにより減速され、カッタブレード５が所定の回転により駆動される。
出力軸１ａにスプライン１ｃ結合されるカップリング、軸受からなる継手部材１５、および継手部材１５に連結される軸１ｂに回転自在に駆動プーリ７ａ，７ｂが取着されている。
【００２７】
以上説明したように、従来の前述の如き問題点を全て解決した本発明のハンドカッタは、主要な特徴点は以下の通りである。
本発明のハンドカッタは、カッタブレードの軸芯と駆動源の出力軸とを結ぶ線より下方位置に吸塵口を設けた安全カバーを備えたので、安全カバーの下方位置に設けた吸塵口から直接粉塵を吸い込むことができるので吸塵性能が向上する。
【００２８】
安全カバーの下方位置に吸塵口を設けたので、この吸塵口から直接に吸塵フアンからなる吸塵装置へ粉塵を吸い込むようにしたので、従来のように安全カバーの上部に設けた吸塵口からダストパイプを介して、粉塵を吸塵フアンからなる吸塵装置に吸い込ませることはないので、構造がシンプルでコンパクトなハンドカッタとすることがてきる。
【００２９】
カッタブレードの軸芯と駆動源の出力軸とを結ぶ線より下方位置に吸塵口を設けた安全カバーを備えたので、粉塵を小型の吸塵フアンでも粉塵を効率良く吸引するようにして周囲に飛散させないようにすることができる。
【００３０】
カッタブレードの軸芯と駆動源の出力軸とを結ぶ線より下方位置に吸塵口を設け、この吸塵口の近傍に吸塵フアンからなる吸塵装置を配置したので、従来のようにパワーユニットや安全カバー上方にダストパイプが突出して作業の邪魔になる等の問題はなくなり、ハンドカッタの下方位置に設けた吸塵装置からダストパイプを介してダストバックに粉塵を吸い込み、ダストパイプの取り回しが改良され、安全カバーやパワーユニットの周囲にダストパイプが突出することがないので、コンパクトで扱い易く、しかも外観がスマートなハンドカッタとすることができる。
【００３１】
安全カバーの下方位置に吸塵口を設けたので、カッタブレードの異なる仕様（例えば、１２インチ、又は１４インチ）でも安全カバーを交換せずにカッタブレードの交換が可能である。
【００３２】
安全カバーの下方位置に吸塵口を設けたので、吸塵装置もカッタブレードの軸芯と駆動源の出力軸とを結ぶ線より下方位置に配置し、前述の如く、吸塵装置やダストパイプが視界を遮ってカッタブレードの刃先の視界性が悪いという問題は解消される。
【００３３】
ハンドカッタの作業姿勢に応じて、フロントガイドとスライドガイドを回動させることにより、簡単にカッタブレードの切断角度、あるいは切断位置を変更することができるので作業性が良い。
【００３４】
ハンドカッタの機種によって、フロントガイド、およびスライドガイドの形状、大きさを適宜設定しても、フロントガイドを、カッタブレードの回転中心、あるいはその近傍を回転支点にする。また、スライドガイドを、フロントガイドの先端部近傍を回転支点とすることにより、安全カバーに収納可能とすることができる。
【００３５】
切断時の粉塵を、安全カバーに収納されるフロントガイドおよびスライドガイドを通って、フロントガイドが安全カバーに完全に収納された場合でも安全カバーの下部に設けた吸塵口に導くことが可能となり吸塵性能が向上する。
【００３６】
安全カバーに設けた吸塵口と、カッタブレードの切断位置近傍の安全カバー先端部とは直線で結んで構成しので、切断時の粉塵を、安全カバーに設けた吸塵口に容易に導くことができる。
これにより、粉塵を小型の吸塵フアンでも効率良くダスト吸引することができ吸塵性能が向上する。
【００３７】
切断時の粉塵を、安全カバーの所定位置に設けたダストストッパに当たると下方に落下して吸塵口に効率良く吸引されるので、周囲に飛散することは防止される。
【００３８】
本発明によれば、構造がシンプルでコンパクトになるとともに、吸塵性能が向上して、しかも扱い易いハンドカッタとすることができる。
【００３９】
本発明は、コンクリート２次製品等を切断するハンドカッタとして説明したが、当然カツタブレードを各種準備して、金属の切断用、あるいは材木の切断用のハンドカッタにも適用できることは言うまでもない。
【図面の簡単な説明】
【図１】本発明のハンドカッタにダストバックを接続した側面図である。
【図２】同、ハンドカッタの右側面図である。
【図３】同、安全カバーに対してスライドするスライドガイドの説明図である。
【図４】同、ハンドカッタの左側面図である。
【図５】同、フロントガイドおよびスライドガイドが下部安全カバーから突き出した状態を説明する図である。
【図６】同、フロントガイドおよびスライドガイドが下部安全カバーに収納された状態を説明する図である。
【図７】同、他例のハンドカッタを説明する図である。
【図８】同、図２のＺ視図である。
【図９】同、駆動源、駆動装置、および吸塵装置を一体に組立て状態を説明する図である。
【図１０】同、安全カバーに外装用カバーを装着した説明図である。
【図１１】同、下部安全カバーに、スライドガイドが収納された状態を説明する図である。
【図１２】同、下部安全カバーに対して、スライドガイドがばねで付勢されて外方に突出した状態を説明する図である。
【図１３】同、ハンドカッタの動力伝達系列をシンボル記号で説明した図である。
【図１４】同、図９のＰ部詳細図である。
【図１５】同、駆動源、駆動プーリ、被駆動プーリ、および駆動装置との取付角度、取付位置を説明する図である。
【図１６】同、ハンドカッタの動力伝達する各ギヤの説明図である。
【図１７】従来の１例のハンドカッタの側面図である。
【図１８】従来の２例のハンドカッタの上面図である。
【図１９】同、２例のハンドカッタの駆動系の説明図である。
【図２０】同、２例の安全カバーの説明図である。
【符号の説明】
１…駆動源、２…吸塵フアンの駆動装置、４…吸塵装置、４ｂ…吸塵フアン、５…カッタブレード、６…安全カバー、６ａ…スライドガイド、６ｃ…下部安全カバー、６ｎ…フロントガイド、７ａ，７ｂ…駆動用プーリ、９，１２…ベルト、１１…被駆動用プーリ、４０…カッタブレードの駆動装置。
【図１】
0003729624.tif 000002
【図２】
0003729624.tif 000003
【図３】
0003729624.tif 000004
【図４】
0003729624.tif 000005
【図５】
0003729624.tif 000006
【図６】
0003729624.tif 000007
【図７】
0003729624.tif 000008
【図８】
0003729624.tif 000009
【図９】
0003729624.tif 000010
【図１０】
0003729624.tif 000011
【図１１】
0003729624.tif 000012
【図１２】
0003729624.tif 000013
【図１３】
0003729624.tif 000014
【図１４】
0003729624.tif 000015
【図１５】
0003729624.tif 000016
【図１６】
0003729624.tif 000017
【図１７】
0003729624.tif 000018
【図１８】
0003729624.tif 000019
【図１９】
0003729624.tif 000020
【図２０】
0003729624.tif 000021